(57)【特許請求の範囲】
【請求項１】
被読取原稿に記録された画像を第１のピッチで読み取り、読み取られた画素データを外部装置に転送する第１の画像読取手段と、前記被読取原稿に記録された画像を第２のピッチで読み取り可能であり、かつ読み取られた画素データを前記外部装置に転送可能な第２の画像読取手段と、この第２の画像読取手段によって読み取られた画像に対する所定の補正処理が前記第１の画像読取手段によって読み取られた画像に対する補正処理と同じであるか否かを判定する補正判定手段とを備え、前記第２の画像読取手段は、前記補正判定手段が前記各補正処理が同じであると判定したとき、前記第１の画像読取手段によって転送された画素データと同じ画素データを転送しないことを特徴とする画像読取装置。
【請求項２】
前記第２の画像読取手段は、前記補正判定手段が前記各補正処理が同じであると判定したとき、画素データを全く転送しないことを特徴とする請求項１に記載の画像読取装置。
【請求項３】
前記第２の画像読取手段は、前記補正判定手段が前記各補正処理が同じであると判定したとき、前記画像の読取動作を行なわないことを特徴とする請求項１に記載の画像読取装置。
【請求項４】
前記第２の画像読取手段は、予め設定された前記第２のピッチが第１のピッチ以上のとき、画素データを全く転送しないことを特徴とする請求項１に記載の画像読取装置。
【請求項５】
前記第２の画像読取手段は、予め設定された前記第２のピッチが第１のピッチ以上のとき、前記画像の読取動作を行なわないことを特徴とする請求項１に記載の画像読取装置。
【請求項６】
被読取原稿に記録された画像を第１のピッチで読み取り、読み取られた画素データを外部装置に転送する第１の画像読取手段と、前記被読取原稿に記録された画像を第２のピッチで読み取り可能であり、かつ読み取られた画素データを前記外部装置に転送可能な第２の画像読取手段と、この第２の画像読取手段によって読み取られた画像に対する所定の補正処理が前記第１の画像読取手段によって読み取られた画像に対する補正処理と同じであるか否かを判定する補正判定手段とを備え、前記外部装置は、前記補正判定手段が各補正処理が同じであると判定したとき、前記第１の画像読取手段によって転送された画素データを用いて所定の画像処理を行なうことを特徴とする画像読取装置。
【請求項７】
前記外部装置は、前記補正判定手段が前記各補正処理が同じであると判定したとき、前記第１の画像読取手段によって転送された画素データのみを用いて前記画像処理を行なうことを特徴とする請求項６に記載の画像読取装置。
【請求項８】
前記外部装置は、前記補正判定手段が前記各補正処理が同じであると判定したとき、前記第１の画像読取手段によって転送された画素データと、前記第２の画像読取手段によって転送された画素データとを用いて前記画像処理を行なうことを特徴とする請求項６に記載の画像読取装置。
【請求項９】
前記外部装置は、予め設定された前記第２のピッチが第１のピッチ以上のとき、前記第１の画像読取手段によって転送された画素データのみを用いて前記画像処理を行なうことを特徴とする請求項６に記載の画像読取装置。
【請求項１０】
前記外部装置は、予め設定された前記第２のピッチが第１のピッチよりも小さいとき、前記第１の画像読取手段によって転送された画素データと、前記第２の画像読取手段によって転送された画素データとを用いて前記画像処理を行なうことを特徴とする請求項６に記載の画像読取装置。
【請求項１１】
前記外部装置がディスプレイ装置を有するコンピュータであることを特徴とする請求項６に記載の画像読取装置。
【請求項１２】
前記画像処理がディスプレイ装置による画像表示を含むことを特徴とする請求項１１に記載の画像読取装置。
【請求項１３】
被読取原稿に記録された画像を所定の読取ピッチで読み取り、読み取られた画素データを外部装置に転送する第１および第２の画像読取手段と、前記第１および第２の画像読取手段における読取ピッチをそれぞれ設定する読取ピッチ設定手段とを備え、前記第２の画像読取手段における読取ピッチが前記第１の画像読取手段における読取ピッチ以上のとき、前記第２の画像読取手段は、前記第１の読取手段によって転送された画素データと同じ画素データを転送しないことを特徴とする画像読取装置。
【請求項１４】
前記第２の画像読取手段は、この第２の画像読取手段における読取ピッチが前記第１の画像読取手段における読取ピッチ以上のとき、画素データを全く転送しないことを特徴とする請求項１３に記載の画像読取装置。
【請求項１５】
前記第２の画像読取手段は、この第２の画像読取手段における読取ピッチが前記第１の画像読取手段における読取ピッチ以上のとき、前記画像の読取動作を行なわないことを特徴とする請求項１３に記載の画像読取装置。
【発明の詳細な説明】
【０００１】
【発明の属する技術分野】
本発明は、例えばフィルムに記録された画像をラインセンサによって読み取り、コンピュータに転送してディスプレイ装置により表示する画像読取装置に関する。
【０００２】
【従来の技術】
従来画像読取装置として、本スキャンに先立ってプリスキャンを行ない、フィルム上の画像を相対的に粗いピッチで読み取って、例えばコンピュータに転送し、ディスプレイ装置の画面上に表示する構成が知られている。すなわちプリスキャンによって得られた画像を見ることにより、本スキャンを実行することの可否が判断される。
【０００３】
本スキャンではラインセンサにより、プリスキャンよりも細かいピッチでフィルム上の画像が読み取られ、画素データがコンピュータに転送される。すなわち本スキャンでは、読取ピッチが相対的に細かいことを除いて、プリスキャンと同じ動作が行なわれる。
【０００４】
【発明が解決しようとする課題】
画素データのコンピュータへの転送時間はラインセンサによる読取動作以上に長くかかり、この転送中、他の処理の実行が制限され、画像読取装置の稼動効率は十分には高くなかった。
【０００５】
本発明は、本スキャンにおいて得られる画素データの一部がプリスキャンにおいて得られた画素データと共通である点に着目し、画素データのコンピュータへの転送時間を短縮することを目的としている。
【０００６】
【課題を解決するための手段】
本発明に係る第１の画像読取装置は、被読取原稿に記録された画像を第１のピッチで読み取り、読み取られた画素データを外部装置に転送する第１の画像読取手段と、被読取原稿に記録された画像を第２のピッチで読み取り可能であり、かつ読み取られた画素データを外部装置に転送可能な第２の画像読取手段と、この第２の画像読取手段によって読み取られた画像に対する所定の補正処理が第１の画像読取手段によって読み取られた画像に対する補正処理と同じであるか否かを判定する補正判定手段とを備え、第２の画像読取手段は、補正判定手段が各補正処理が同じであると判定したとき、第１の画像読取手段によって転送された画素データと同じ画素データを転送しないことを特徴としている。
【０００７】
第２の画像読取手段は例えば、補正判定手段が各補正処理が同じであると判定したとき、画素データを全く転送しない。あるいは第２の画像読取手段は、補正判定手段が各補正処理が同じであると判定したとき、画像の読取動作を行なわない。
【０００８】
第２の画像読取手段は例えば、予め設定された第２のピッチが第１のピッチ以上のとき、画素データを全く転送しない。あるいは第２の画像読取手段は、予め設定された第２のピッチが第１のピッチ以上のとき、画像の読取動作を行なわない。
【０００９】
本発明に係る第２の画像読取装置は、被読取原稿に記録された画像を第１のピッチで読み取り、読み取られた画素データを外部装置に転送する第１の画像読取手段と、被読取原稿に記録された画像を第２のピッチで読み取り可能であり、かつ読み取られた画素データを外部装置に転送可能な第２の画像読取手段と、この第２の画像読取手段によって読み取られた画像に対する所定の補正処理が第１の画像読取手段によって読み取られた画像に対する補正処理と同じであるか否かを判定する補正判定手段とを備え、外部装置は、補正判定手段が各補正処理が同じであると判定したとき、第１の画像読取手段によって転送された画素データを用いて所定の画像処理を行なうことを特徴としている。
【００１０】
外部装置は例えば、補正判定手段が各補正処理が同じであると判定したとき、第１の画像読取手段によって転送された画素データのみを用いて画像処理を行なう。あるいは外部装置は、補正判定手段が各補正処理が同じであると判定したとき、第１の画像読取手段によって転送された画素データと、第２の画像読取手段によって転送された画素データとを用いて画像処理を行なう。
【００１１】
外部装置は例えば、予め設定された第２のピッチが第１のピッチ以上のとき、第１の画像読取手段によって転送された画素データのみを用いて画像処理を行なう。あるいは外部装置は、予め設定された第２のピッチが第１のピッチよりも小さいとき、第１の画像読取手段によって転送された画素データと、第２の画像読取手段によって転送された画素データとを用いて画像処理を行なう。
【００１２】
外部装置は例えばディスプレイ装置を有するコンピュータである。この場合、画像処理はディスプレイ装置による画像表示を含むことが好ましい。
【００１３】
本発明に係る第３の画像読取装置は、被読取原稿に記録された画像を所定の読取ピッチで読み取り、読み取られた画素データを外部装置に転送する第１および第２の画像読取手段と、第１および第２の画像読取手段における読取ピッチをそれぞれ設定する読取ピッチ設定手段とを備え、第２の画像読取手段における読取ピッチが第１の画像読取手段における読取ピッチ以上のとき、第２の画像読取手段は、第１の読取手段によって転送された画素データと同じ画素データを転送しないことを特徴としている。
【００１４】
第２の画像読取手段は例えば、この第２の画像読取手段における読取ピッチが第１の画像読取手段における読取ピッチ以上のとき、画素データを全く転送しない。あるいは第２の画像読取手段は、この第２の画像読取手段における読取ピッチが第１の画像読取手段における読取ピッチ以上のとき、画像の読取動作を行なわない。
【００１５】
【発明の実施の形態】
以下、本発明の実施の形態を図面を参照して説明する。
図１は、本発明の一実施形態である画像読取装置を示すブロック図である。
【００１６】
この画像読取装置において用いられる被読取原稿Ｍは透過原稿（フィルム）であり、このフィルムにはカラー画像が記録されている。被読取原稿Ｍは原稿移送機構１０によって矢印Ａ方向に間欠的に移送される。被読取原稿Ｍの通過経路の上方には光源２０が配設され、また下方には結像レンズ３１とラインセンサ３０が設けられている。光源２０の点灯と消灯は光源駆動回路４１によって、またラインセンサ３０による画像の検出動作はラインセンサ駆動回路４２によって制御される。原稿移送機構１０、光源駆動回路４１およびラインセンサ駆動回路４２はシステムコントロール回路４０から出力される指令信号に従って動作する。
【００１７】
ラインセンサ３０から読み出された画像データはアンプ４３により増幅され、Ａ／Ｄ変換器４４によってデジタル信号に変換される。デジタルの画像データは、画像処理回路４５においてシェーディング補正を施された後、メモリ４６に一旦格納される。この画像データはメモリ４６から読み出され、色補正、ガンマ補正等の所定の演算処理を施される。そして画像データは、インターフェース回路４７において所定のフォーマットに従った信号に変換され、出力端子４８を介して、この画像読取装置の外部に設けられたコンピュータ６０に出力される。画像処理回路４５とインターフェース回路４７は、システムコントロール回路４０により制御される。
【００１８】
本実施形態において、画像読取装置の全ての動作はコンピュータ６０によって制御されるが、スイッチ４９をシステムコントロール回路４０に接続して、このスイッチ４９を操作することによって画像読取装置の動作を制御するように構成してもよい。
【００１９】
図２は原稿移送機構１０、光源２０およびラインセンサ３０を示している。被読取原稿Ｍは枠体１１によって支持されたフィルム状の透過原稿であり、枠体１１は板状のステージ１２に止め具１３によって固定される。ステージ１２には、被読取原稿Ｍに対応した位置に、図示しない開口が形成されている。ステージ１２の側端面にはラック１４が形成され、このラック１４には原稿送りモータ１５の出力軸に設けられたピニオン１６に噛合している。原稿送りモータ１５はシステムコントロール回路４０の制御に基づいて駆動され、被読取原稿Ｍの位置が制御される。
【００２０】
光源２０はステージ１２の上方に位置し、ブルー（Ｂ）、グリーン（Ｇ）およびレッド（Ｒ）の光を出射する発光素子２１Ｒ、２１Ｇ、２１Ｂを、この順序で周期的に配列して構成されているが、この配列は目的に応じて変更可能である。なお、図２では発光素子は６個だけ示されているが、さらに多くの発光素子を設けてもよく、あるいは少なくてもよい。これらの発光素子２１Ｒ、２１Ｇ、２１Ｂはステージ１２の幅方向に延びる細長い支持部材２２に支持され、支持部材２２とステージ１２の間には、支持部材２２と平行に延びるシリンドリカルレンズ２３が配設されている。すなわち発光素子２１から出射された光はシリンドリカルレンズ２３によって集光され、被読取原稿Ｍの上にライン状に照射される。
【００２１】
ラインセンサ３０はステージ１２を挟んで光源２０の下方に位置し、光源２０とシリンドリカルレンズ２３に平行に設けられている。すなわちラインセンサ３０は、被読取原稿Ｍが移送される方向に略直交する方向に延びている。ラインセンサ３０とステージ１２の間には結像レンズ３１が設けられている。結像レンズ３１はラインセンサ３０と平行に延び、ロッドレンズアレイによって構成される。したがって、被読取原稿Ｍに対して光源２０によって光が照射されると、この被読取原稿Ｍに記録された画像が、結像レンズ３１を介してラインセンサ３０の受光面に結像される。
【００２２】
図３は、被読取原稿Ｍとして反射原稿が用いられる場合の光源２０およびラインセンサ３０等の構成を示している。この構成では、光源２０とシリンドリカルレンズ２３は、ラインセンサ３０および結像レンズ３１とともに被読取原稿Ｍの下方に配設される。すなわち、光源２０から出射された光はシリンドリカルレンズ２３を介して被読取原稿Ｍの下面に照射され、この原稿Ｍによって反射された光が結像レンズ３１を介してラインセンサ３０に結像される。
【００２３】
図４は画像読取装置において実行される画像読取ルーチンを示すフローチャートである。図５はコンピュータ６０のディスプレイ装置の画面の一例を示す。これらの図を参照して画像読取装置の動作を説明する。なおこの画像読取装置の動作は、ディスプレイ装置の画面に表示された所定のマークを、例えばマウスを使ってクリックすることによって制御される。
【００２４】
ステップ１０１では、プリスキャンを開始するか否かが判定される。ディスプレイ装置の画面上の「プリスキャン」のマークＭＰがクリックされるとステップ１０１からステップ１０２へ進み、露出測定が実行される。すなわち光源２０が点灯された状態で、被読取原稿Ｍが原稿移送機構１０により、ステップ１０８において実行される「通常の本スキャン」よりも粗いピッチで間欠的に移送される。この間欠移送の間に、ラインセンサ３０を一定の露光時間だけ露光することにより、１画面分の画素データが検出される。なお露出測定において、光源２０は、ステージ１２が停止する度に発光素子２１Ｒ、２１Ｇ、２１Ｂが所定の順序で点灯されるように制御される。露出測定ではラインセンサ３０の出力信号に基いて、従来公知の手法により、ラインセンサ３０の出力信号のレベルが最適になるような露光時間、すなわち最適露光時間が求められる。
【００２５】
ステップ１０３では、ステップ１０２において求められた最適露光時間に従ってプリスキャンが行なわれる。プリスキャンにおいて被読取原稿Ｍは、例えばその端部が光源２０に対向した初期位置に定められ、ステップ１０８において実行される通常の本スキャンよりも粗いピッチで画像が読み取られる。プリスキャンにおける読取ピッチは、被読取原稿Ｍの移送方向に関して粗いだけでなく、ラインセンサ３０の長手方向に関しても粗い。プリスキャンにおける読取ピッチが例えば１０画素であるとき、通常の本スキャンと比較して、被読取原稿Ｍの移送ピッチが１０倍になるだけでなく、ラインセンサ３０によって読み出される１ラインの画素データの画素ピッチも１０倍になる。すなわち読取ピッチの大小は、ラインセンサ３０の送り量およびラインセンサ３０から読み出される画素信号の間引き等により決定される、有効な画素データの総数（１枚の画像を構成するデータ数）を意味する。
【００２６】
プリスキャンでは、ステージ１２が停止する度に発光素子２１Ｒ、２１Ｇ、２１Ｂが所定の順序で点灯され、１ライン毎にＲ、Ｇ、Ｂの画素データが検出される。ラインセンサ３０から出力された全ての画素データは、シェーディング補正されていったんメモリ４６に格納される。なおメモリ４６には、この画像読取装置における最小ピッチで画像を読み取った場合に得られる１ライン分の全ての画素データを格納するのに十分な領域が確保されている。
【００２７】
メモリ４６に格納された画素データは１ライン毎に読み出される。このとき、１ラインの画素データの全てが読み出されるのではなく、画素データは所定の画素ピッチ毎（例えば１０画素毎）に読み出される。読み出された画素データは、色補正、ガンマ補正等の処理を施され、コンピュータ６０に転送される。これによりコンピュータ６０のディスプレイ装置の画面には、プリスキャンにより得られた画像ＰＩが、他のマーク等とともに表示される。
【００２８】
ステップ１０４では、本スキャンを開始するか否かが判定される。この画像読取装置の操作者はディスプレイ装置の画面に表示されたプリスキャン画像ＰＩを見ることによって、本スキャンを開始するか否かを判断することができる。コンピュータ６０のディスプレイ装置の画面上の「スキャン」のマークＭＳがクリックされないとき、ステップ１０５において、プリスキャンを再び行なうか否かが判定される。「プリスキャン」のマークＭＰがクリックされたときはステップ１０３へ戻るが、「プリスキャン」のマークＭＰがクリックされないときは、ステップ１０４へ戻る。すなわちマークＭＳ、ＭＰのいずれもクリックされない間、ステップ１０４、１０５が繰り返し実行される。
【００２９】
「スキャン」のマークＭＳがクリックされるとステップ１０４からステップ１０６へ進み、本スキャンの準備が行われる。まずステップ１０６では、簡易スキャンモードの「切」と「入」のボタンＢＦ、ＢＮの設定状態に基いて、簡易スキャンモードが選択されているか否かが判定される。ここで簡易スキャンモードとは、コンピュータ６０において、プリスキャンにおいて得られた画素データを本スキャンにおいて得られた画素データと見做して取り扱うモードをいう。
【００３０】
「切」のボタンＢＦが黒（オフ状態）に定められているとき、すなわち簡易スキャンモードが選択されていないとき、ステップ１０８において通常の本スキャンが実行される。通常の本スキャンはプリスキャンと比較して、ラインセンサ３０による読取ピッチが相対的に細かいことを除いて、基本的に同じ動作である。すなわち通常の本スキャンによって読み取られた画素データは色補正とガンマ補正を施された後、コンピュータ６０へ転送されて、コンピュータ６０のディスプレイ装置の画面上に表示される。本スキャンが終了すると、ステップ１０４が再び実行される。
【００３１】
これに対し、ステップ１０６において簡易スキャンモードの「入」のボタンＢＮが黒（オン状態）に定められているとき、すなわち簡易スキャンモードが選択されているとき、ステップ１０７において、色補正のパラメータが変更されているか否かが判定される。色補正のパラメータは、Ｒ、Ｇ、Ｂのゲイン設定のボタンＢＲ、ＢＧ、ＢＢを左右方向に移動させることによって変更される。Ｒ、Ｇ、Ｂのゲインは、ボタンＢＲ、ＢＧ、ＢＢを画面の右側に変位させると大きくなり、左側に変位させると小さくなる。例えば、ＲのボタンＢＲを画面の右側に変位させると、Ｒのゲインが大きくなる。
【００３２】
ステップ１０７において色補正のパラメータが変更されたと判定されたとき、本スキャンにより得られる画素データはプリスキャンにより得られた画素データとは異なるので、プリスキャンの画素データをディスプレイ装置の画面表示に利用することはできない。したがってこの場合、ステップ１０８へ進み、通常の本スキャンが実行される。
【００３３】
ステップ１０７において色補正のパラメータが変更されていないと判定されたとき、プリスキャンにより得られた画素データを本スキャンにより得られる画素データの一部として利用することができる。したがってこの場合、簡易スキャンモードを実行すべく、ステップ１０９へ進む。ステップ１０９では、簡易スキャンモードの本スキャンにおける読取ピッチが所定値、すなわちプリスキャンにおける読取ピッチ以上であるか否かが判定される。この本スキャンにおける読取ピッチは、ディスプレイ装置の画面に表示された「読取ピッチ」の数値ＶＸに対応し、これは例えばキーボードあるいはマウスを用いて設定可能である。
【００３４】
本スキャンにおける読取ピッチが所定値以上であるとき、すなわち本スキャンがプリスキャンよりも粗いピッチで行われるとき、本スキャンにより得られる画素データはプリスキャンによって得られた画素データに含まれている。したがってこの場合、ステップ１１０が実行され、プリスキャンにおいてコンピュータ６０に転送された画素データのみを用いて、ディスプレイ装置の画面上に表示されるべき画像が形成される。そしてステップ１０４へ戻り、上述した処理が繰り返される。
【００３５】
これに対し、ステップ１０９において本スキャンにおける読取ピッチが所定値よりも小さいと判定されたとき、すなわち本スキャンがプリスキャンよりも細かいピッチで行われるとき、ステップ１１１が実行される。すなわち、本スキャンが実行されて画素データが検出され、これらの画素データのうち、プリスキャンにおいて転送された画素データ以外の画素データがコンピュータ６０に転送される。そしてコンピュータ６０では、この本スキャンにおいて転送された画素データと、プリスキャンにおいて転送された画素データとを用いて、ディスプレイ装置の画面上に表示されるべき画像が形成される。ステップ１１１の後、ステップ１０４へ戻り、上述した処理が再び実行される。
【００３６】
なお、図４の画像読取ルーチンの途中において、ディスプレイ装置の画面上の「イジェクト」のマークＭＥがクリックされると、割り込み処理によってこの画像読取ルーチンは終了し、また被読取原稿Ｍが画像読取装置から排出される。
【００３７】
図６は、コンピュータ６０において、プリスキャンにより得られた画素データから、ディスプレイ装置の画面上に表示される画像を構成する画素データを得る手法の一例を示している。
【００３８】
この例では、プリスキャンにおける読取ピッチは１０画素であり、本スキャンにおける読取ピッチは１５画素である。すなわち本スキャンの読取ピッチはプリスキャンの読取ピッチよりも大きく、図６の画素データの形成方法は図４のステップ１１０に相当する。
【００３９】
ディスプレイ装置の画面上に表示される画像において、画素Ａ１の値はプリスキャンにより得られた第１の画素Ｐｎ−１  とこれに隣接する第２の画素Ｐｎ  から、
（２（Ｐｎ−１  ）＋Ｐｎ  ）／３
により求められる。すなわち画素Ａ１は図６において、第１の画素Ｐｎ−１  と第２の画素Ｐｎ  の左半分とに対応している。
【００４０】
同様に、画素Ａ１に隣接する画素Ａ２はプリスキャンにより得られた第２の画素Ｐｎ  とこれに隣接する第３の画素Ｐｎ＋１  から、
（２（Ｐｎ＋１  ）＋Ｐｎ  ）／３
により求められる。すなわち画素Ａ２は図６において、第２の画素Ｐｎ  の右半分と第３の画素Ｐｎ＋１  とに対応している。
【００４１】
図７は、メモリ４６に格納された画素データと、本スキャンにおいてメモリ４６から読み出されてコンピュータ６０に転送される画素データとの関係を示している。なお図７において、Ｄ０  ，Ｄ１  ，Ｄ２  ，．．．はメモリのアドレスを示し、丸で囲まれたアドレスに格納された画素データはプリスキャンにおいてコンピュータ６０に転送されることを示す。すなわちプリスキャンにおけるラインセンサ３０の長手方向の読取ピッチは１０画素である。
【００４２】
本スキャンにおける間引きが１／１であるとき、すなわち読取ピッチが１画素であるとき、メモリ４６のアドレスＤ０  〜Ｄ１０に関し、アドレスＤ１  ，Ｄ２  ，Ｄ３  ，．．．Ｄ９  に格納された画素データのみがコンピュータ６０に転送される。本スキャンにおける間引きが１／２であるとき、すなわち読取ピッチが２画素であるとき、メモリ４６のアドレスＤ０  〜Ｄ１０に関し、アドレスＤ２  ，Ｄ４  ，Ｄ６  ，Ｄ８  に格納された画素データのみがコンピュータ６０に転送される。本スキャンにおける間引きが１／５であるとき、すなわち読取ピッチが５画素であるとき、メモリ４６のアドレスＤ０  〜Ｄ１０に関し、アドレスＤ５  に格納された画素データのみがコンピュータ６０に転送される。
【００４３】
これに対し、本スキャンにおける間引きが１／３、１／４、１／６、１／７、１／８、１／９であるときは、ステップ１０８において実行される通常の本スキャンと同様に、メモリ４６に格納された全ての画素データがコンピュータ６０に転送される。
【００４４】
以上のように本実施形態は、本スキャンにおける色補正等の補正処理の内容ががプリスキャンと同じである場合、コンピュータ６０では、プリスキャンにおいてメモリ４６から転送された画素データをそのまま用いて、ディスプレイ装置の画面に表示される画像を形成している。そして特に、本スキャンのために予め設定された読取ピッチがプリスキャンの読取ピッチ以上のとき、本スキャンによる読取動作は行なわれず、画素データは全く転送されない。
【００４５】
したがって、本スキャンによって得られた画像をディスプレイ装置の画面上に表示するために画像読取装置から外部装置へ転送される画素データの数を減らすことができる。すなわち本実施形態によれば、転送動作以外の種々の処理を実行するための時間を確保することができ、画像読取装置の稼動効率が高められる。
【００４６】
図８は本発明の他の実施形態における画像読取ルーチンを示すフローチャートである。このフローチャートにおいて、図４のフローチャートのステップに対応するステップには、「１００」の数値を加算して示している。例えばステップ２０１は図４のフローチャートのステップ１０１に対応する。
【００４７】
図８の画像読取ルーチンは、プリスキャンにより得られた画素データに対してローパスフィルタ等のフィルタ処理（演算処理）を施す場合に適用される。このような構成では、簡易スキャンモードにおける読取ピッチがプリスキャンの読取ピッチよりも小さいとき、プリスキャンにより得られた画素データ（フィルタ処理済み）をそのまま用いることはできない。したがってこの場合は、ステップ２０９からステップ２０８へ進み、通常の本スキャンが行なわれ、本スキャンによって得られた画素データに対してフィルタ処理が施される。すなわち図８の画像読取ルーチンでは、図４のフローチャートと比較すると明らかなように、ステップ１１１に相当する処理が省略されている。
【００４８】
図８の実施形態において、その他の処理は第１の実施形態と同様であり、例えば図６を参照して説明した画素データの演算、および図７を参照して説明した画素データの転送処理も同様に適用される。
【００４９】
【発明の効果】
以上のように本発明によれば、画素データのコンピュータへの転送時間を短縮し、画像読取装置の稼動効率を高めることができる。
【図面の簡単な説明】
【図１】本発明の一実施形態である画像読取装置を示すブロック図である。
【図２】被読取原稿として透過原稿が用いられる場合の、原稿移送機構、光源およびラインセンサを示す斜視図である。
【図３】被読取原稿として反射原稿が用いられる場合の光源およびラインセンサ等の配置を示す図である。
【図４】画像読取ルーチンを示すフローチャートである。
【図５】コンピュータのディスプレイ装置の画面の一例を示す図である。
【図６】コンピュータにおいて、プリスキャンにより得られた画素データから、ディスプレイ装置の画面上に表示される画像を構成する画素データを得る手法の一例を示す図である。
【図７】メモリに格納された画素データと、本スキャンにおいてメモリから読み出されてコンピュータに転送される画素データとの関係を示す図である。
【図８】他の実施形態における画像読取ルーチンを示すフローチャートである。
【符号の説明】
１０  移送機構
２０  光源
３０  ラインセンサ
６０  コンピュータ
Ｍ  被読取原稿
【図１】
0003548389.tif 000002
【図２】
0003548389.tif 000003
【図３】
0003548389.tif 000004
【図４】
0003548389.tif 000005
【図５】
0003548389.tif 000006
【図６】
0003548389.tif 000007
【図７】
0003548389.tif 000008
【図８】
0003548389.tif 000009